【手続補正書】
【提出日】平成19年9月12日(2007.9.12)
【手続補正１】
【補正対象書類名】特許請求の範囲
【補正対象項目名】全文
【補正方法】変更
【補正の内容】
【特許請求の範囲】
【請求項１】
デジタルデータを送信する送信装置と、上記送信装置から送信されたデジタルデータを受信する受信装置とを備えるデジタル伝送システムにおいて、
上記送信装置は、デジタル信号に対して、それぞれ異なる拘束長で誤り訂正符号化処理を実行する複数の畳み込み符号化手段と、
上記複数の畳み込み符号化手段から、所望の拘束長で誤り訂正符号化処理を実行する畳み込み符号化手段を選択する第１の選択手段と、
上記第１の選択手段で選択された畳み込み符号化手段で符号化された符号化データをデジタル変調する変調手段と、
上記変調手段によって変調された符号化データを送信する送信手段とを有し、
上記受信装置は、上記送信手段によって送信された上記符号化データを受信する受信手段と、
上記受信手段によって受信された上記符号化データをデジタル復調する復調手段と、
上記複数の畳み込み符号化手段に対応した拘束長で誤り訂正復号処理を実行する複数のビタビ復号手段と、
上記復調手段によってデジタル復調された符号化データに対して、上記第１の選択手段で選択された上記畳み込み符号化手段の拘束長と同一の拘束長で誤り訂正復号処理を実行するビタビ復号手段を、上記複数のビタビ復号手段から選択する第２の選択手段と、
上記ビタビ復号手段の最大拘束長の状態数に応じたパスメトリックを記憶する上記複数のビタビ復号手段に共用されたパスメモリとを有すること
を特徴とするデジタル伝送システム。
【請求項２】
上記畳み込み符号化手段は、同一拘束長での上記誤り訂正符号化処理を並列して実行するようにマルチチャンネル化され、
上記ビタビ復号手段は、上記マルチチャンネル化された上記畳み込み符号化手段に対応して、同一拘束長での上記誤り訂正復号処理を並列して実行するようにマルチチャンネル化されていること
を特徴とする請求項１記載のデジタル伝送システム。
【請求項３】
上記受信装置が備える上記パスメモリは、上記マルチチャンネル化された同一拘束長の上記ビタビ復号手段にも共用されること
を特徴とする請求項２記載のデジタル伝送システム。
【請求項４】
デジタル信号に対して、それぞれ異なる拘束長で誤り訂正符号化処理を実行する複数の畳み込み符号化手段と、
上記複数の畳み込み符号化手段から、所望の拘束長で誤り訂正符号化処理を実行する畳み込み符号化手段を選択する選択手段と、
上記選択手段で選択された畳み込み符号化手段で符号化された符号化データをデジタル変調する変調手段と、
上記変調手段によって変調された符号化データを受信装置に送信する送信手段と備えること
を特徴とする送信装置。
【請求項５】
上記畳み込み符号化手段は、同一拘束長での上記誤り訂正符号化処理を並列して実行するようにマルチチャンネル化されていること
を特徴とする請求項４記載の送信装置。
【請求項６】
送信装置によって送信される所望の拘束長で誤り訂正符号化されて変調された符号化データを、受信手段によって受信する受信装置において、
上記受信手段によって受信された上記符号化データをデジタル復調する復調手段と、
上記送信装置が備えるデジタル信号に対してそれぞれ異なる拘束長で誤り訂正符号化処理を実行する複数の畳み込み符号化手段に対応した拘束長で、誤り訂正復号処理を実行する複数のビタビ復号手段と、
上記復調手段によってデジタル復調された符号化データに対して、上記所望の拘束長と同一の拘束長で誤り訂正復号処理を実行するビタビ復号手段を、上記複数のビタビ復号手段から選択する選択手段と、
上記ビタビ復号手段の最大拘束長の状態数に応じたパスメトリックを記憶する上記複数のビタビ復号手段に共用されたパスメモリとを備えること
を特徴とする受信装置。
【請求項７】
上記畳み込み符号化手段は、同一拘束長での上記誤り訂正符号化処理を並列して実行するようにマルチチャンネル化され、
上記ビタビ復号手段は、上記マルチチャンネル化された上記畳み込み符号化手段に対応して、同一拘束長での上記誤り訂正復号処理を並列して実行するようにマルチチャンネル化されていること
を特徴とする請求項６記載の受信装置。
【請求項８】
上記受信装置が備える上記パスメモリは、上記マルチチャンネル化された同一拘束長の上記ビタビ復号手段にも共用されること
を特徴とする請求項７記載の受信装置。
【請求項９】
デジタルデータを送信する送信装置と、上記送信装置から送信されたデジタルデータを受信する受信装置とを備えるデジタル伝送システムのデジタル伝送方法において、
上記送信装置は、デジタル信号に対して、それぞれ異なる拘束長で誤り訂正符号化処理を実行する複数の畳み込み符号化手段から、選択された畳み込み符号化手段により所望の拘束長で誤り訂正符号化処理を実行する畳み込み符号化工程と、
上記畳み込み符号化工程で符号化された符号化データをデジタル変調する変調工程と、
上記変調工程によって変調された符号化データを送信する送信工程とを有し、
上記受信装置は、上記送信工程によって送信された上記符号化データを受信する受信工程と、
上記受信工程によって受信された上記符号化データをデジタル復調する復調工程と、
上記復調工程によってデジタル復調された符号化データに対して、上記複数の畳み込み符号化手段に対応した拘束長で誤り訂正復号処理を実行する複数のビタビ復号手段から、選択されたビタビ復号手段により上記所望の拘束長で誤り訂正復号処理を実行するビタビ復号工程とを有すること
を特徴とするデジタル伝送方法。
【請求項１０】
マルチチャンネル化された上記畳み込み符号化手段によって、同一拘束長での上記誤り訂正符号化処理を並列して実行し、
マルチチャンネル化された上記ビタビ復号手段によって、上記畳み込み符号化手段に対応した、同一拘束長での上記誤り訂正復号処理を並列して実行すること
を特徴とする請求項９記載のデジタル伝送方法。
【手続補正２】
【補正対象書類名】明細書
【補正対象項目名】００１７
【補正方法】変更
【補正の内容】
【００１７】
上述の目的を達成するために、本発明に係るデジタル伝送システムは、デジタルデータを送信する送信装置と、上記送信装置から送信されたデジタルデータを受信する受信装置とを備えるデジタル伝送システムにおいて、上記送信装置は、デジタル信号に対して、それぞれ異なる拘束長で誤り訂正符号化処理を実行する複数の畳み込み符号化手段と、上記複数の畳み込み符号化手段から、所望の拘束長で誤り訂正符号化処理を実行する畳み込み符号化手段を選択する第１の選択手段と、上記第１の選択手段で選択された畳み込み符号化手段で符号化された符号化データをデジタル変調する変調手段と、上記変調手段によって変調された符号化データを送信する送信手段とを有し、上記受信装置は、上記送信手段によって送信された上記符号化データを受信する受信手段と、上記受信手段によって受信された上記符号化データをデジタル復調する復調手段と、上記複数の畳み込み符号化手段に対応した拘束長で誤り訂正復号処理を実行する複数のビタビ復号手段と、上記復調手段によってデジタル復調された符号化データに対して、上記第１の選択手段で選択された上記畳み込み符号化手段の拘束長と同一の拘束長で誤り訂正復号処理を実行するビタビ復号手段を、上記複数のビタビ復号手段から選択する第２の選択手段と、上記ビタビ復号手段の最大拘束長の状態数に応じたパスメトリックを記憶する上記複数のビタビ復号手段に共用されたパスメモリとを有することを特徴とする。
【手続補正３】
【補正対象書類名】明細書
【補正対象項目名】００１８
【補正方法】変更
【補正の内容】
【００１８】
また、上述の目的を達成するために、本発明に係る送信装置は、デジタル信号に対して、それぞれ異なる拘束長で誤り訂正符号化処理を実行する複数の畳み込み符号化手段と、上記複数の畳み込み符号化手段から、所望の拘束長で誤り訂正符号化処理を実行する畳み込み符号化手段を選択する選択手段と、上記選択手段で選択された畳み込み符号化手段で符号化された符号化データをデジタル変調する変調手段と、上記変調手段によって変調された符号化データを受信装置に送信する送信手段と備えることを特徴とする。
【手続補正４】
【補正対象書類名】明細書
【補正対象項目名】００２０
【補正方法】変更
【補正の内容】
【００２０】
さらにまた、上述の目的を達成するために、本発明に係るデジタル伝送方法は、デジタルデータを送信する送信装置と、上記送信装置から送信されたデジタルデータを受信する受信装置とを備えるデジタル伝送システムのデジタル伝送方法において、上記送信装置は、デジタル信号に対して、それぞれ異なる拘束長で誤り訂正符号化処理を実行する複数の畳み込み符号化手段から、選択された畳み込み符号化手段により所望の拘束長で誤り訂正符号化処理を実行する畳み込み符号化工程と、上記畳み込み符号化工程で符号化された符号化データをデジタル変調する変調工程と、上記変調工程によって変調された符号化データを送信する送信工程とを有し、上記受信装置は、上記送信工程によって送信された上記符号化データを受信する受信工程と、上記受信工程によって受信された上記符号化データをデジタル復調する復調工程と、上記復調工程によってデジタル復調された符号化データに対して、上記複数の畳み込み符号化手段に対応した拘束長で誤り訂正復号処理を実行する複数のビタビ復号手段から、選択されたビタビ復号手段により上記所望の拘束長で誤り訂正復号処理を実行するビタビ復号工程とを有することを特徴とする。